(57)【要約】【課題】簡易な構成で虚像の表示サイズを大きくすることができ、アイリング径を大きく確保することができ、良好なシースルー観察を可能にする虚像表示装置を提供すること。【解決手段】ハーフミラー層２８が画像光ＧＬの入射角範囲よりも入射角が大きくなると反射率が増加する角度依存性を有するので、導光部材２１から光透過部材２３に射出され光透過部材２３内で反射される意図しない光が比較的大きな入射角度で反射膜としてのハーフミラー層２８を通過して導光部材２１の光射出部Ｂ３に戻されることを防止できる。これにより、光透過部材２３の加工精度や、導光部材２１と光透過部材２３との接着精度を高める要求を緩和しつつ、光透過部材２３を経た画像光ＧＬがゴースト光ＧＧになることを防止でき、虚像表示装置１００によって表示される虚像を高品位のものとすることができる。【選択図】図２
2012168425.tif 000002
【特許請求の範囲】
【請求項１】
導光部と、前記導光部に画像光を入射させる光入射部と、前記導光部によって導かれた画像光を外部に射出させる光射出部とを有し、前記光射出部を介して前記画像光の観察を可能にする導光部材と、
前記導光部材と組み合わせることによって外界光の観察を可能にする透視部を構成する光透過部材とを備え、
前記光射出部と前記光透過部材との間に配置され光透過性を有する反射膜を含み、
前記反射膜を介して光射出部と前記光透過部材とを接合する接着層が色素を含有している、虚像表示装置。
【請求項２】
前記反射膜は、前記導光部材の前記光透過部材に対向する表面上に形成され、前記接着層は、前記反射膜と前記光透過部材の接合面との間を充填している、請求項１に記載の虚像表示装置。
【請求項３】
前記光射出部と前記光透過部材とは、前記接着層と同一屈折率材料で形成されている、請求項１及び２のいずれか一項に記載の虚像表示装置。
【請求項４】
前記導光部は、互いに平行に配置され全反射による導光を可能にする第１反射面と第２反射面とを有し、
前記光入射部は、前記第１反射面に対して所定の角度をなす第３反射面を有し、
前記光射出部は、前記第１反射面に対して所定の角度をなす第４反射面を有し、
前記光透過部材は、前記反射膜を介して前記光射出部の前記第４反射面に接着される光透過面を有する楔状の部材を有する、請求項１から３までのいずれか一項に記載の虚像表示装置。
【請求項５】
前記光透過部材は、前記第１反射面と第２反射面とに対してそれぞれ平行に配置される第１面と第２面とを有する、請求項４に記載の虚像表示装置。
【請求項６】
画像光を形成する画像表示装置と、前記画像表示装置から射出された前記画像光による虚像を形成する投射光学系とを備え、
前記画像表示装置における第１部分領域から射出される第１画像光の前記導光部における反射回数と、導光に際して反射によって折り返される閉じ込め方向に関して前記第１部分領域とは異なる第２部分領域から射出される第２画像光の前記導光部における反射回数とは異なる、請求項４及び５のいずれか一項に記載の虚像表示装置。
【請求項７】
前記閉じ込め方向は、前記投射光学系を通る第１光軸と前記第３反射面の法線とを含む断面に平行な方向に平行である、請求項６に記載の虚像表示装置。
【請求項８】
前記導光部材と前記光透過部材とは、射出成型によってそれぞれ独立して一体的に成型される、請求項１から７までのいずれか一項に記載の虚像表示装置。
【請求項９】
導光部と、前記導光部に画像光を入射させる光入射部と、前記導光部によって導かれた画像光を外部に射出させる光射出部とを有し、前記光射出部を介して前記画像光の観察を可能にする導光部材と、
前記導光部材と組み合わせることによって外界光の観察を可能にする透視部を構成する光透過部材とを備え、
前記導光部材に付随して、前記導光部材から光透過性を有する反射膜を介して前記光透過部材に入射した光が前記導光部材側に再入射することを色素を含む接着剤によって阻止する、虚像表示装置。
【発明の詳細な説明】
【技術分野】
【０００１】
本発明は、頭部に装着して使用するヘッドマウントディスプレイ等の虚像表示装置に関する。
【背景技術】
【０００２】
近年、ヘッドマウントディスプレイのように虚像の形成及び観察を可能にする虚像表示装置として、導光板によって表示素子からの画像光を観察者の瞳に導くタイプのものが種々提案されている。
【０００３】
このような虚像表示装置において、画像光と外界光とを重畳させるために、シースルー光学系の提案がなされている（特許文献１、２参照）。
【０００４】
しかし、特許文献１等に記載の装置では、瞳サイズよりも射出開口が小さい導光光学系を用いる瞳分割方式によってシースルーを実現しているため、虚像の表示サイズを大きくすることが困難である。また、瞳サイズよりも小さい導光光学系を用いるため、人間の個々の眼幅に対応するために有効瞳径（虚像の取り込みを可能にする採光径であり、アイリング径とも呼ぶ）を大きくすることが困難である。また、物理的に瞳付近に導光光学系の射出開口や筐体が配置されるため、死角が生じてしまい完全なシースルーとはいえなくなる。
【０００５】
なお、頭部装着ディスプレイ用の光学システムとして、導光角度の異なる複数の光モードを進行させることができる導光パイプを備えるものが存在する（特許文献３参照）。このような光学システムをおいて、射出側の第３光学面をハーフミラーとし第３光学面の透過光が直進するような工夫をすることで、シースルー型の表示装置にすることも考えられる。
【０００６】
しかし、特許文献３の光学システムでは、複数の光モードによる像が互いに位置ずれしていることを前提として、光モードごとに異なる入射角度に設定されたコリメート光で液晶パネルを照明する。そして、各光モードで表示内容を変更するとともに各光モードの表示をシーケンシャルに実行することで、各光モードの画像をつなぎ合わせて全体画像を得るようにしている。この場合、１つの液晶パネルによって、全体画像を構成する中央の画像と左右の画像とを時間差で変更しつつ表示しなければならず、虚像表示装置が複雑化し観察画像も暗くなる。
【０００７】
以上とは別に、眼前を覆うような光射出部を有する導光部材によって外界光に重ねて虚像の観察を可能にする虚像表示装置であって、時間差で画像をつなぎ合わせる必要のないものもあるが（特許文献４参照）、大きな画像を表示することは容易でなく、導光部材に透視用のプリズム等の部材を接続した場合、かかる部材によってゴースト光が発生し、ゴースト光が眼に到達しやすくなる。
【先行技術文献】
【特許文献】
【０００８】
【特許文献１】特開２００６−３８７９号公報
【特許文献２】特開２０１０−２２４４７３号公報
【特許文献３】特表２００８−５３５００１号公報
【特許文献４】米国特許第７４７７４５３号公報
【発明の概要】
【発明が解決しようとする課題】
【０００９】
本発明は、上記背景技術の問題に鑑みてなされたものであり、シースルー観察を可能にすることができ、ゴースト光が観察されることを抑制して高品位の虚像を表示できる虚像表示装置を提供することを目的とする。
【課題を解決するための手段】
【００１０】
上記課題を解決するため、本発明に係る第１の虚像表示装置は、導光部と、導光部に画像光を入射させる光入射部と、導光部によって導かれた画像光を外部に射出させる光射出部とを有し、光射出部を介して画像光の観察を可能にする導光部材と、導光部材と組み合わせることによって外界光の観察を可能にする透視部を構成する光透過部材とを備え、光射出部と光透過部材との間に配置され光透過性を有する反射膜を含み、反射膜を介して光射出部と光透過部材とを接合する接着層が色素を含有している。
【００１１】
上記虚像表示装置では、反射膜を介して光射出部と光透過部材とを接合する接着層が色素を含有しているので、導光部材から光透過部材に射出され当該光透過部材内で反射される意図しない光が比較的大きな入射角度で反射膜に入射した場合、かかる意図しない光は、導光部材の光射出部に戻されても、反射膜を通過する際に色素によって十分減衰される。これにより、光透過部材を経た画像光がゴースト光になることを防止でき、虚像表示装置によって表示される虚像を高品位のものとすることができる。なお、接着層の色素が無彩色のものであれば、外界像等を減光させるだけであるが、接着層の色素が有彩色のものであれば、外界像等に着色を生じさせることができる。
【００１２】
本発明の具体的な側面では、上記虚像表示装置において、反射膜は、導光部材の光透過部材に対向する表面上に形成され、接着層は、反射膜と光透過部材の接合面との間を充填している。この場合、導光部材に導かれ反射膜で反射される画像光が接着層を通過せず、画像光が接着層の色素によって減衰することが防止される。
【００１３】
本発明の別の側面では、光射出部と光透過部材とが、接着層と同一屈折率材料で形成されている。この場合、光射出部と光透過部材とに挟まれた接着層を通過する光が界面で反射や干渉の影響を受けることを防止できる。
【００１４】
本発明のさらに別の側面では、導光部が、互いに平行に配置され全反射による導光を可能にする第１反射面と第２反射面とを有し、光入射部が、第１反射面に対して所定の角度をなす第３反射面を有し、光射出部が、第１反射面に対して所定の角度をなす第４反射面を有し、光透過部材が、反射膜を介して光射出部の第４反射面に接着される光透過面を有する楔状の部材を有する。この虚像表示装置では、光入射部の第３反射面で反射された画像光が導光部の第１及び第２反射面で全反射されつつ伝搬され、光射出部の第４反射面で反射されて虚像として観察者の眼に入射する。この場合、導光部材を多面体ブロック状の外形を有するものとして形成可能になるので、導光部材を虚像表示装置に組み込みやすくなり、虚像の高精度の観察が可能になる。また、第４反射面に付随して設けた光透過性を有する反射膜（ハーフミラー）越しのシースルー観察を光透過部によって歪みの少ないものとできる。
【００１５】
本発明のさらに別の側面では、光透過部材が、第１反射面と第２反射面とに対してそれぞれ平行に配置される第１面と第２面とを有する。これにより、光透過部材によるシースルー観察が歪みなく平坦性の高いものとなる。
【００１６】
本発明のさらに別の側面では、画像光を形成する画像表示装置と、画像表示装置から射出された画像光による虚像を形成する投射光学系とを備え、画像表示装置における第１部分領域から射出される第１画像光の導光部における反射回数と、導光に際して反射によって折り返される閉じ込め方向に関して第１部分領域とは異なる第２部分領域から射出される第２画像光の導光部における反射回数とが、互いに異なる。この場合、反射回数の異なる画像光を利用することで、光射出部から射出される画像光の射出角度の角度幅を広くとることができる。つまり、画像表示装置における異なる表示位置からの画像光を比較的広い視野角で取り込むことができるようになり、光射出部越しに観察される虚像の表示サイズを大きく確保することができる。このように反射回数が異なる画像光を取り出す構造とすることにより、導光部をあまり厚くすることなく瞳を覆うように光射出部を大きくすることができるので、良好なシースルー観察が可能になる。
【００１７】
本発明のさらに別の側面では、閉じ込め方向が、投射光学系を通る第１光軸と第３反射面の法線とを含む断面に平行な方向に平行である。上記閉じ込め方向に関して異なる位置からの画像光は、射出角度すなわち光入射部への入射角度を互いに異なるものとすることで、導光部における反射回数を異なるものとできる。
【００１８】
本発明のさらに別の側面では、導光部材と光透過部材とが、射出成型によってそれぞれ独立して一体的に成型される。この場合、射出成型技術を利用して導光部材と光透過部材とを高精度で量産することができる。また、樹脂によって軽量化や安全性を高めることができ、熱硬化によって安定した高精度の成型が可能になる。
【００１９】
本発明に係る第２の虚像表示装置は、導光部と、導光部に画像光を入射させる光入射部と、導光部によって導かれた画像光を外部に射出させる光射出部とを有し、光射出部を介して画像光の観察を可能にする導光部材と、前記導光部材と組み合わせることによって外界光の観察を可能にする透視部を構成する光透過部材とを備え、導光部材に付随して、導光部材から光透過性を有する反射膜を介して光透過部材に入射した光が導光部材側に再入射することを色素を含む接着剤によって阻止する。
【００２０】
上記虚像表示装置では、色素を含む接着剤によって、導光部材から反射膜を介して光透過部材に入射した光が導光部材側に再入射することを阻止するので、光透過部材を経た画像光が導光部材に戻されてゴースト光になることを防止でき、虚像表示装置によって表示される虚像を高品位のものとすることができる。
【図面の簡単な説明】
【００２１】
【図１】実施形態の虚像表示装置を示す斜視図である。
【図２】（Ａ）は、虚像表示装置を構成する第１表示装置の本体部分の平面図であり、（Ｂ）は、本体部分の正面図である。
【図３】（Ａ）は、導光部材の光入射部における第３反射面の構造を説明する図であり、（Ｂ）は、導光部材の導光部における第１反射面の構造を説明する図であり、（Ｃ）は、導光部材の導光部における第２反射面の構造を説明する図であり、（Ｄ）は、導光部材の光射出部における第４反射面の構造を説明する図である。
【図４】（Ａ）は、縦の第１方向に関する光路を展開した概念図であり、（Ｂ）は、横の第２方向に関する光路を展開した概念図である。
【図５】虚像表示装置の光学系における光路を具体的に説明する平面図である。
【図６】（Ａ）は、液晶表示デバイスの表示面を示し、（Ｂ）は、観察者に見える液晶表示デバイスの虚像を概念的に説明する図であり、（Ｃ）及び（Ｄ）は、虚像を構成する２つの部分画像を説明する図である。
【図７】（Ａ）は、導光装置におけるゴースト光の処理を説明する図であり、（Ｂ）は、接着層の付近を拡大した断面図である。
【図８】（Ａ）は、変形例における画像光の導光状態を説明する図であり、（Ｂ）は、変形例における液晶表示デバイスの虚像を概念的に説明する図である。
【図９】導光部材に稜を除去するような端面を設けている理由を説明する図である。
【図１０】図２（Ａ）等に示す導光部材の変形例を説明する図である。
【発明を実施するための形態】
【００２２】
以下、図面を参照しつつ、本発明の一実施形態に係る虚像表示装置について詳細に説明する。
【００２３】
〔Ａ．虚像表示装置の外観〕
図１に示す実施形態の虚像表示装置１００は、眼鏡のような外観を有するヘッドマウントディスプレイであり、この虚像表示装置１００を装着した観察者に対して虚像による画像光を認識させることができるとともに、観察者に外界像をシースルーで観察させることができる。虚像表示装置１００は、観察者の眼前を覆う光学パネル１１０と、光学パネル１１０を支持するフレーム１２１と、フレーム１２１のヨロイからテンプルにかけての部分に付加された第１及び第２駆動部１３１，１３２とを備える。ここで、光学パネル１１０は、第１パネル部分１１１と第２パネル部分１１２とを有し、両パネル部分１１１，１１２は、中央で一体的に連結された板状の部品となっている。図面上で左側の第１パネル部分１１１と第１駆動部１３１とを組み合わせた第１表示装置１００Ａは、左眼用の虚像を形成する部分であり、単独でも虚像表示装置として機能する。また、図面上で右側の第２パネル部分１１２と第２駆動部１３２とを組み合わせた第２表示装置１００Ｂは、右眼用の虚像を形成する部分であり、単独でも虚像表示装置として機能する。
【００２４】
〔Ｂ．表示装置の構造〕
図２（Ａ）等に示すように、第１表示装置１００Ａは、画像形成装置１０と、導光装置２０とを備える。ここで、画像形成装置１０は、図１における第１駆動部１３１に相当し、導光装置２０は、図１における第１パネル部分１１１に相当する。なお、図１に示す第２表示装置１００Ｂは、第１表示装置１００Ａと同様の構造を有し左右を反転させただけであるので、第２表示装置１００Ｂの詳細な説明は省略する。
【００２５】
画像形成装置１０は、画像表示装置１１と、投射光学系１２とを有する。このうち、画像表示装置１１は、２次元的な照明光ＳＬを射出する照明装置３１と、透過型の空間光変調装置である液晶表示デバイス３２と、照明装置３１及び液晶表示デバイス３２の動作を制御する駆動制御部３４とを有する。
【００２６】
照明装置３１は、赤、緑、青の３色を含む光を発生する光源３１ａと、光源３１ａからの光を拡散させて矩形断面の光束にするバックライト導光部３１ｂとを有する。液晶表示デバイス３２は、照明装置３１からの照明光ＳＬを空間的に変調して動画像等の表示対象となるべき画像光を形成する。駆動制御部３４は、光源駆動回路３４ａと、液晶駆動回路３４ｂとを備える。光源駆動回路３４ａは、照明装置３１の光源３１ａに電力を供給して安定した輝度の照明光ＳＬを射出させる。液晶駆動回路３４ｂは、液晶表示デバイス３２に対して画像信号又は駆動信号を出力することにより、透過率パターンとして動画や静止画の元になるカラーの画像光を形成する。なお、液晶駆動回路３４ｂに画像処理機能を持たせることができるが、外付けの制御回路に画像処理機能を持たせることもできる。投射光学系１２は、液晶表示デバイス３２上の各点から射出された画像光を平行状態の光束にするコリメートレンズである。
【００２７】
液晶表示デバイス３２において、第１方向Ｄ１は、投射光学系１２を通る第１光軸ＡＸ１と、後述する導光部材２１の第３反射面２１ｃに平行な特定線とを含む縦断面の延びる方向に対応し、第２方向Ｄ２は、上記第１光軸ＡＸ１と、上記第３反射面２１ｃの法線とを含む横断面の延びる方向に対応する。言い換えれば、第１方向Ｄ１は、後述する導光部材２１の第１反射面２１ａと第３反射面２１ｃとの交線ＣＬに平行な方向であり、第２方向Ｄ２は、上記第１反射面２１ａの平面と平行であり、上記第１反射面２１ａと第３反射面２１ｃとの交線ＣＬに垂直な方向となっている。つまり、液晶表示デバイス３２の位置において、第１方向Ｄ１は、縦のＹ方向に相当し、第２方向Ｄ２は、横のＸ方向に相当する。
【００２８】
なお、液晶表示デバイス３２の有効サイズは、第１方向Ｄ１よりも第２方向Ｄ２に長い横長となっている。一方、投射光学系１２の射出開口幅は、第２方向Ｄ２よりも第１方向Ｄ１に長い縦長となっている。
【００２９】
導光装置２０は、導光部材２１と光透過部材２３とを接合したものであり、全体としてＸＹ面に平行に延びる平板状の光学部材を構成している。
【００３０】
導光装置２０のうち、導光部材２１は、平面視において台形のプリズム状部材であり、側面として、第１反射面２１ａと、第２反射面２１ｂと、第３反射面２１ｃと、第４反射面２１ｄとを有する。また、導光部材２１は、第１、第２、第３、及び第４反射面２１ａ，２１ｂ，２１ｃ，２１ｄに隣接するとともに互いに対向する上面２１ｅと下面２１ｆとを有する。ここで、第１及び第２反射面２１ａ，２１ｂは、ＸＹ面に沿って延び、導光部材２１の厚みｔだけ離間する。また、第３反射面２１ｃは、ＸＹ面に対して４５°以下の鋭角αで傾斜しており、第４反射面２１ｄは、ＸＹ面に対して例えば４５°以下の鋭角βで傾斜している。第３反射面２１ｃを通る第１光軸ＡＸ１と第４反射面２１ｄを通る第２光軸ＡＸ２とは平行に配置され距離Ｄだけ離間している。なお、以下に詳述するが、第１反射面２１ａと第３反射面２１ｃとの間には、稜を除去するように端面２１ｈが設けられている。導光部材２１は、この端面２１ｈも含めると、７面の多面体状の外形を有するものとなっている。
【００３１】
導光部材２１は、第１及び第２反射面２１ａ，２１ｂによる全反射を利用して導光を行うものであり、導光に際して反射によって折り返される方向と、導光に際して反射によって折り返されない方向とがある。導光部材２１で導光される画像について考えた場合、導光に際して複数回の反射によって折り返される横方向すなわち閉じ込め方向は、第１及び第２反射面２１ａ，２１ｂに垂直（Ｚ軸に平行）で、後述するように光源側まで光路を展開した場合に、液晶表示デバイス３２の第２方向Ｄ２に相当するものとなり、導光に際して反射によって折り返されない縦方向すなわち自由伝搬方向は、第１及び第２反射面２１ａ，２１ｂ及び第３反射面２１ｃに平行（Ｙ軸に平行）で、後述するように光源側まで光路を展開した場合に、液晶表示デバイス３２の第１方向Ｄ１に相当する。
【００３２】
導光部材２１は、可視域で高い光透過性を示す樹脂材料で形成されている。導光部材２１は、射出成型によって一体的に成型されたブロック状部材であり、例えば熱可塑型の樹脂材料を成型金型内に射出させることで形成されている。このように導光部材２１は、一体形成品であるが、機能的に、光入射部Ｂ１と導光部Ｂ２と光射出部Ｂ３とに分けて考えることができる。
【００３３】
光入射部Ｂ１は、三角プリズム状の部分であり、第１反射面２１ａの一部である光入射面ＩＳと、光入射面ＩＳに対向する第３反射面２１ｃとを有する。光入射面ＩＳは、画像形成装置１０からの画像光ＧＬを取り込むための裏側又は観察者側の平面であり、投射光学系１２に対向してその第１光軸ＡＸ１に垂直に延びている。第３反射面２１ｃは、光入射面ＩＳを通過した画像光ＧＬを反射して導光部Ｂ２内に導くための矩形の全反射ミラーである。
【００３４】
図３（Ａ）は、第３反射面２１ｃを説明する図であり、光入射部Ｂ１における表面部分Ｐ１の部分拡大断面図である。第３反射面２１ｃは、ミラー層２５を有し保護層２６で被覆されている。このミラー層２５は、全反射のコーティングであり、導光部材２１の斜面ＲＳ上にアルミ等の蒸着によって成膜を施すことにより形成される。第３反射面２１ｃは、投射光学系１２の第１光軸ＡＸ１又はＸＹ面に対して例えば鋭角α＝２５°〜２７°で傾斜しており、光入射面ＩＳから入射し全体として＋Ｚ方向に向かう画像光ＧＬを、全体として−Ｚ方向寄りの−Ｘ方向に向かわせるように折り曲げることで、画像光ＧＬを導光部Ｂ２内に確実に結合させる。
【００３５】
図２（Ａ）等に戻って、導光部Ｂ２は、互いに対向しＸＹ面に平行に延びる２平面として、光入射部Ｂ１で折り曲げられた画像光をそれぞれ全反射させる第１反射面２１ａと第２反射面２１ｂとを有している。第１及び第２反射面２１ａ，２１ｂの間隔すなわち導光部材２１の厚みｔは、例えば９ｍｍ程度とされている。ここでは、第１反射面２１ａが画像形成装置１０に近い裏側又は観察者側にあるものとし、第２反射面２１ｂが画像形成装置１０から遠い表側又は外界側にあるものとする。この場合、第１反射面２１ａは、上記の光入射面ＩＳや後述する光射出面ＯＳと共通の面部分となっている。第１及び第２反射面２１ａ，２１ｂは、屈折率差を利用する全反射面であり、ミラー層等の反射コートが施されていない。
【００３６】
図３（Ｂ）は、第１反射面２１ａを説明する図であり、導光部材２１の導光部Ｂ２における表面部分Ｐ２の部分拡大断面図である。また、図３（Ｃ）は、第１反射面２１ａを説明する図であり、導光部材２１の導光部Ｂ２における表面部分Ｐ３の部分拡大断面図である。第１及び第２反射面２１ａ，２１ｂは、表面の損傷を防止し映像の解像度低下を防止するため、ハードコート層２７で被覆されている。このハードコート層２７は、導光部材２１の平坦面ＦＳ上にＵＶ硬化性樹脂や熱硬化性樹脂等をディップ処理やスプレーコート処理によって成膜することによって形成される。光入射部Ｂ１の第３反射面２１ｃで反射された画像光ＧＬは、まず、第１反射面２１ａに入射し、全反射される。次に、当該画像光ＧＬは、第２反射面２１ｂに入射し、全反射される。以下この動作が繰り返されることで、画像光は、導光装置２０の奥側即ち光射出部Ｂ３を設けた−Ｘ側に導かれる。なお、第１及び第２反射面２１ａ，２１ｂには反射コートが施されていないため、外界側から第２反射面２１ｂに入射する外界光又は外光は、高い透過率で導光部Ｂ２を通過する。つまり、導光部Ｂ２は、外界像の透視が可能なシースルータイプになっている。
【００３７】
図２（Ａ）等に戻って、光射出部Ｂ３は、三角プリズム状の部分であり、第１反射面２１ａの一部である光射出面ＯＳと、光射出面ＯＳに対向する第４反射面２１ｄとを有する。光射出面ＯＳは、画像光ＧＬを観察者の眼ＥＹに向けて射出するための裏側の平面であり、光入射面ＩＳと同様に第１反射面２１ａの一部となっており、第２光軸ＡＸ２に垂直に延びている。光射出部Ｂ３を通る第２光軸ＡＸ２と光入射部Ｂ１を通る第１光軸ＡＸ１との距離Ｄは、観察者の頭部の幅等を考慮して例えば５０ｍｍに設定されている。第４反射面２１ｄは、第１及び第２反射面２１ａ，２１ｂを経て入射してきた画像光ＧＬを反射して光射出部Ｂ３外に射出させるための矩形の平坦面である。
【００３８】
第４反射面２１ｄに付随して、図３（Ｄ）にも示すように、ハーフミラー層２８が設けられている。このハーフミラー層２８は、光透過性を有する反射膜であり、その表面は半透過反射面となっている。ハーフミラー層（光透過性の反射膜又は半透過反射膜）２８は、導光部材２１の斜面ＲＳ上にＡｇ膜、Ａｌ膜等の金属反射膜や誘電体多層膜を成膜することにより形成される。ハーフミラー層２８の画像光ＧＬに対する反射率は、シースルーによる外界光ＧＬ'の観察を容易にする観点で、想定される画像光ＧＬの入射角範囲において１０％以上５０％以下とする。具体的な実施例のハーフミラー層２８の画像光ＧＬに対する反射率は、例えば２０％に設定され、画像光ＧＬに対する透過率は、例えば８０％に設定される。
【００３９】
第４反射面２１ｄは、第１反射面２１ａに垂直な第２光軸ＡＸ２又はＸＹ面に対して例えば鋭角α＝２５°〜２７°で傾斜しており、上記ハーフミラー層２８により、導光部Ｂ２の第１及び第２反射面２１ａ，２１ｂを経て入射してきた画像光ＧＬを部分的に反射して全体として−Ｚ方向に向かわせるように折り曲げることで、光射出面ＯＳを通過させる。なお、第４反射面２１ｄを透過した画像光ＧＬは、光透過部材２３に入射し、映像の形成には利用されない。
【００４０】
光透過部材２３は、導光部材２１の本体と同一の屈折率を有し、第１面２３ａと、第２面２３ｂと、第３面２３ｃとを有する。第１及び第２面２３ａ，２３ｂは、ＸＹ面に沿って延びる。また、第３面２３ｃは、ＸＹ面に対して傾斜しており、導光部材２１の光射出部Ｂ３に設けた第４反射面２１ｄに対向して平行に配置されている。つまり、光透過部材２３は、導光部材２１の光射出部Ｂ３と接合される主要部として、第２面２３ｂと第３面２３ｃとに挟まれてＹ方向から見て三角形の断面を有しＺ方向から見て矩形の輪郭を有する楔状の部材２３ｍを有する。光透過部材２３は、導光部材２１と同様に、可視域で高い光透過性を示す樹脂材料で形成されている。光透過部材２３は、射出成型によって一体的に成型されたブロック状部材であり、例えば熱可塑型の樹脂材料を成型金型内に射出させることで形成されている。
【００４１】
光透過部材２３において、第１面２３ａは、導光部材２１に設けた第１反射面２１ａの延長平面上に配置され、観察者の眼ＥＹに近い裏側にあり、第２面２３ｂは、導光部材２１に設けた第２反射面２１ｂの延長平面上に配置され、観察者の眼ＥＹから遠い表側にある。第３面２３ｃは、接着剤によって導光部材２１の第４反射面２１ｄに接合される矩形の透過面である。以上の第１面２３ａと第３面２３ｃとなす角度は、導光部材２１の第２反射面２１ｂと第４反射面２１ｄとのなす角度εと等しくなっており、第２面２３ｂと第３面２３ｃとなす角度は、導光部材２１の第１反射面２１ａと第３反射面２１ｃとのなす角度βと等しくなっている。
【００４２】
光透過部材２３と導光部材２１とは、両者の接合部分及びその近傍において、観察者の眼前に対向する部位に相当するものとして、透視部Ｂ４を構成している。光透過部材２３のうち、互いに鋭角を成す第２面２３ｂと第３面２３ｃとに挟まれて−Ｘ方向に広がる楔状の部材２３ｍは、同様に楔状の光射出部Ｂ３と接合されることにより、全体として平板状の透視部Ｂ４におけるＸ方向に関する中央部分を構成する。第１及び第２面２３ａ，２３ｂには、ミラー層等の反射コートが施されていないため、導光部材２１の導光部Ｂ２と同様に外界光ＧＬ'を高い透過率で透過させる。第３面２３ｃも、外界光ＧＬ'を高い透過率で透過可能であるが、導光部材２１の第４反射面２１ｄがハーフミラー層２８を有していることから、第３面２３ｃを通過する外界光ＧＬ'は、例えば２０％減光される。つまり、観察者は、２０％に減光された画像光ＧＬと８０％に減光された外界光ＧＬ'とを重畳させたものを観察することになる。
【００４３】
図３（Ｄ）は、光透過部材２３と導光部材２１との境界の構造すなわちハーフミラー層２８の周辺の構造を説明する図であり、導光部材２１の光射出部Ｂ３における表面部分Ｐ４を説明する図ともなっている。ここで、導光部材２１の第４反射面２１ｄと光透過部材２３の第３面２３ｃとの間、より正確にはハーフミラー層２８と第３面２３ｃとの間には、導光部材２１と光透過部材２３とを接合するための接着剤によって接着層ＣＣが形成される。この接着層ＣＣは、色素を含有する樹脂材で形成されて、ハーフミラー層２８と光透過部材２３との間を充填しており、例えば５μｍ〜２０μｍ程度の厚みを有する。詳細は図７（Ａ）等を参照して後述するが、接着層ＣＣに色素を含有させることで、光透過部材２３に達した画像光ＧＬが導光部材２１に戻されてゴースト光になる現象を抑制できる。接着層ＣＣを構成する樹脂材としては、ＵＶ硬化型の樹脂、エポキシ系の樹脂、アクリル系の樹脂等を使用することができる。また、色素としては、例えばシアニン系色素、スチルベン系色素等を使用することができる。接着層ＣＣに含有させる色素の濃度の下限については、ハーフミラー層２８の主に表側に大きな入射角で入射する光束を、接着層ＣＣの厚みも考慮して十分に減衰させる程度のものとする。また、接着層ＣＣ中の色素の濃度の上限については、ハーフミラー層２８に比較的小さな入射角で入射する外界光ＧＬ'の観察を過度に妨げない程度のものとする。
【００４４】
接着層ＣＣには、上記のような色素に加えて、屈折率の調整材料を混入させることもできる。すなわち、導光部材２１と光透過部材２３との間に充填される接着層ＣＣを構成する樹脂材が光透過部材２３等の屈折率に対して比較的低屈折率である場合、比較的高屈折率の金属酸化物を含む微粒子等の屈折率調整材料を添加することができる。接着層ＣＣの屈折率を光透過部材２３や導光部材２１の屈折率と略同一となるように調整することで、導光部材２１から光透過部材２３にかけてこれらと接着層ＣＣとの界面を通過する光が、当該界面において不要な反射をすることを抑制し、ゴースト光になることを防止できる。具体的に説明すると、導光部材２１や光透過部材２３の屈折率が例えば１．５２であるとする。この場合、接着層ＣＣを形成するアクリル系の樹脂としてフォトボンドＰＢ０２９（登録商標）を用いる場合、元々の屈折率が１．４８であるので、屈折率を０．０４だけ上昇させるべく二酸化チタンや二酸化ジルコニウム等の屈折率調整材料を添加して分散させることにより、接着層ＣＣの屈折率を１．５２とすることができる。
【００４５】
〔Ｃ．画像光の光路の概要〕
図４（Ａ）は、液晶表示デバイス３２の縦断面ＣＳ１に対応する第１方向Ｄ１の光路を説明する図である。第１方向Ｄ１に沿った縦断面すなわちＹＺ面（展開後のＹ'Ｚ'面）において、液晶表示デバイス３２から射出された画像光のうち、図中一点鎖線で示す表示領域３２ｂの上端側（＋Ｙ側）から射出される成分を画像光ＧＬａとし、図中二点差線で示す表示領域３２ｂの下端側（−Ｙ側）から射出される成分を画像光ＧＬｂとする。
【００４６】
上側の画像光ＧＬａは、投射光学系１２によって平行光束化され、展開された光軸ＡＸ'に沿って、導光部材２１の光入射部Ｂ１、導光部Ｂ２、及び光射出部Ｂ３を通り、観察者の眼ＥＹに対して平行光束状態で、角度φ１の上方向から傾いて入射する。一方、下側の画像光ＧＬｂは、投射光学系１２によって平行光束化され、展開された光軸ＡＸ'に沿って、導光部材２１の光入射部Ｂ１、導光部Ｂ２、及び光射出部Ｂ３を通り、観察者の眼ＥＹに対して平行光束状態で、角度φ２（｜φ２｜＝｜φ１｜）の下方向から傾いて入射する。以上の角度φ１，φ２は、上下の半画角に相当し、例えば６．５°に設定される。
【００４７】
図４（Ｂ）は、液晶表示デバイス３２の横断面ＣＳ２に対応する第２方向（閉じ込め方向又は合成方向）Ｄ２の光路を説明する図である。第２方向（閉じ込め方向又は合成方向）Ｄ２に沿った横断面すなわちＸＺ面（展開後のＸ'Ｚ'面）において、液晶表示デバイス３２から射出された画像光のうち、図中一点鎖線で示す表示領域３２ｂに向かって右端側（＋Ｘ側）の第１表示点Ｐ１から射出される成分を画像光ＧＬｃとし、図中二点差線で示す表示領域３２ｂに向かって左端側（−Ｘ側）の第２表示点Ｐ２から射出される成分を画像光ＧＬｄとする。図４（Ｂ）中には、参考のため、右寄り内側のから射出される画像光ＧＬｅと、左寄り内側のから射出される画像光ＧＬｆとを追加している。
【００４８】
右側の第１表示点Ｐ１からの画像光ＧＬｃは、投射光学系１２によって平行光束化され、展開された光軸ＡＸ'に沿って、導光部材２１の光入射部Ｂ１、導光部Ｂ２、及び光射出部Ｂ３を通り、観察者の眼ＥＹに対して平行光束状態で、角度θ１の右方向から傾いて入射する。一方、左側の第２表示点Ｐ２からの画像光ＧＬｄは、投射光学系１２によって平行光束化され、展開された光軸ＡＸ'に沿って、導光部材２１の光入射部Ｂ１、導光部Ｂ２、及び光射出部Ｂ３を通り、観察者の眼ＥＹに対して平行光束状態で、角度θ２（｜θ２｜＝｜θ１｜）の左方向から傾いて入射する。以上の角度θ１，θ２は、左右の半画角に相当し、例えば１０°に設定される。
【００４９】
なお、第２方向Ｄ２の横方向に関しては、導光部材２１中で画像光ＧＬｃ，ＧＬｄが反射によって折り返され、反射の回数も異なることから、各画像光ＧＬｃ，ＧＬｄが導光部材２１中で不連続に表現されている。また、観察者の眼ＥＹについては、図２（Ａ）の場合と比較して見ている方向が上下反対となっている。結果的に、横方向に関しては、全体として画面が左右反転するが、後に詳述するように導光部材２１を高精度に加工することで、液晶表示デバイス３２の右半分の画像と液晶表示デバイス３２の左半分の画像とが切れ目なく連続してズレなくつなぎ合わされたものとなる。なお、両画像光ＧＬｃ，ＧＬｄの導光部材２１内での反射回数が互いに異なることを考慮して、右側の画像光ＧＬｃの射出角度θ１'と左側の画像光ＧＬｄの射出角度θ２'とは異なるものに設定されている。
【００５０】
以上により、観察者の眼ＥＹに入射する画像光ＧＬａ，ＧＬｂ，ＧＬｃ，ＧＬｄは、無限遠からの虚像となっており、縦の第１方向Ｄ１に関しては液晶表示デバイス３２に形成された映像が正立し、横の第２方向Ｄ２に関しては液晶表示デバイス３２に形成された映像が反転する。
【００５１】
〔Ｄ．横方向に関する画像光の光路〕
図５は、第１表示装置１００Ａにおける具体的な光路を説明する断面図である。投射光学系１２は、３つのレンズＬ１，Ｌ２，Ｌ３を有している。
【００５２】
液晶表示デバイス３２の右側の第１表示点Ｐ１からの画像光ＧＬ１１，ＧＬ１２は、投射光学系１２のレンズＬ１，Ｌ２，Ｌ３を通過することで平行光束化され、導光部材２１の光入射面ＩＳに入射する。導光部材２１内に導かれた画像光ＧＬ１１，ＧＬ１２は、第１及び第２反射面２１ａ，２１ｂにおいて等しい角度で全反射を繰り返して、最終的に光射出面ＯＳから平行光束として射出される。具体的には、画像光ＧＬ１１，ＧＬ１２は、平行光束として導光部材２１の第３反射面２１ｃで反射された後、第１反射角γ１で導光部材２１の第１反射面２１ａに入射し、全反射される（第１回目の全反射）。その後、画像光ＧＬ１１，ＧＬ１２は、第１反射角γ１を保った状態で、第２反射面２１ｂに入射して全反射され（第２回目の全反射）、次いで再度第１反射面２１ａに入射して全反射される（第３回目の全反射）。結果的に、画像光ＧＬ１１，ＧＬ１２は、第１反射角γ１を保った状態で、第１及び第２反射面２１ａ，２１ｂで全反射を繰り返す。画像光ＧＬ１１，ＧＬ１２は、第１及び第２反射面２１ａ，２１ｂにおいて計３回全反射され、第４反射面２１ｄに入射する。画像光ＧＬ１１，ＧＬ１２は、この第４反射面２１ｄで第３反射面２１ｃと同一の角度で反射され、光射出面ＯＳからこの光射出面ＯＳに垂直な第２光軸ＡＸ２方向に対して角度θ１の傾きで平行光束として射出される。
【００５３】
液晶表示デバイス３２の左側の第２表示点Ｐ２からの画像光ＧＬ２１，ＧＬ２２は、投射光学系１２のレンズＬ１，Ｌ２，Ｌ３を通過することで平行光束化され、導光部材２１の光入射面ＩＳに入射する。導光部材２１内に導かれた画像光ＧＬ２１，ＧＬ２２は、第１及び第２反射面２１ａ，２１ｂにおいて等しい角度で全反射を繰り返して、最終的に光射出面ＯＳから平行光束として射出される。具体的には、画像光ＧＬ２１，ＧＬ２２は、平行光束として導光部材２１の第３反射面２１ｃで反射された後、第２反射角γ２（γ２＜γ１）で導光部材２１の第１反射面２１ａに入射し、全反射される（第１回目の全反射）。その後、画像光ＧＬ２１，ＧＬ２２は、第２反射角γ２を保った状態で、第２反射面２１ｂに入射して全反射され（第２回目の全反射）、再度第１反射面２１ａに入射して全反射され（第３回目の全反射）、再度第２反射面２１ｂに入射して全反射され（第４回目の全反射）、再々度第１反射面２１ａに入射して全反射される（第５回目の全反射）。結果的に、画像光ＧＬ２１，ＧＬ２２は、第１及び第２反射面２１ａ，２１ｂにおいて計５回全反射され、第４反射面２１ｄに入射する。画像光ＧＬ２１，ＧＬ２２は、この第４反射面２１ｄで第３反射面２１ｃと同一の角度で反射され、光射出面ＯＳからこの光射出面ＯＳに垂直な第２光軸ＡＸ２方向に対して角度θ２の傾きで平行光束として射出される。
【００５４】
図５において、導光部材２１を展開した場合に第１反射面２１ａに対応する仮想的な第１面１２１ａと、導光部材２１を展開した場合に第２反射面２１ｂに対応する仮想的な第２面１２１ｂとを描いている。このように展開することにより、第１表示点Ｐ１からの画像光ＧＬ１１，ＧＬ１２は、光入射面ＩＳに対応する入射等価面ＩＳ'を通過した後、第１面１２１ａを２回通過し第２面１２１ｂを１回通過して光射出面ＯＳから射出されて観察者の眼ＥＹに入射することが分かり、第２表示点Ｐ２からの画像光ＧＬ２１，ＧＬ２２は、光入射面ＩＳに対応する入射等価面ＩＳ"を通過した後、第１面１２１ａを３回通過し第２面１２１ｂを２回通過して光射出面ＯＳから射出されて観察者の眼ＥＹに入射することが分かる。見方を変えると、観察者は、２つの位置の異なる入射等価面ＩＳ'，ＩＳ"の近傍に存在する投射光学系１２のレンズＬ３を重ねて観察していることになる。
【００５５】
図６（Ａ）は、液晶表示デバイス３２の表示面を概念的に説明する図であり、図６（Ｂ）は、観察者に見える液晶表示デバイス３２の虚像を概念的に説明する図であり、図６（Ｃ）及び６（Ｄ）は、虚像を構成する部分画像を説明する図である。図６（Ａ）に示す液晶表示デバイス３２に設けた矩形の画像形成領域ＡＤは、図６（Ｂ）に示す虚像表示領域ＡＩとして観察される。虚像表示領域ＡＩの左側には、液晶表示デバイス３２の画像形成領域ＡＤのうち中央から右側にかけての部分に相当する第１投射像ＩＭ１が形成され、この第１投射像ＩＭ１は、図６（Ｃ）に示すように右側が欠けた部分画像となっている。また、虚像表示領域ＡＩの右側には、液晶表示デバイス３２の画像形成領域ＡＤのうち中央から左側にかけての部分に相当する投射像ＩＭ２が虚像として形成され、この第２投射像ＩＭ２は、図６（Ｄ）に示すように左半分が欠けた部分画像となっている。
【００５６】
図６（Ａ）に示す液晶表示デバイス３２のうち第１投射像（虚像）ＩＭ１のみを形成する第１部分領域Ａ１０は、例えば液晶表示デバイス３２の右端の第１表示点Ｐ１を含んでおり、導光部材２１の導光部Ｂ２において合計３回全反射される画像光ＧＬ１１，ＧＬ１２を射出する。液晶表示デバイス３２のうち第２投射像（虚像）ＩＭ２のみを形成する第２部分領域Ａ２０は、例えば液晶表示デバイス３２の左端の第２表示点Ｐ２を含んでおり、導光部材２１の導光部Ｂ２において合計５回全反射される画像光ＧＬ２１，ＧＬ２２を射出する。液晶表示デバイス３２の画像形成領域ＡＤの中央寄りにおいて第１及び第２部分領域Ａ１０，Ａ２０に挟まれて縦長に延びる帯域ＳＡからの画像光は、図６（Ｂ）に示す重複画像ＩＳを形成している。つまり、液晶表示デバイス３２の帯域ＳＡからの画像光は、導光部Ｂ２において計３回全反射される画像光ＧＬ１１，ＧＬ１２によって形成される第１投射像ＩＭ１と、導光部Ｂ２において計５回全反射される画像光ＧＬ１１，ＧＬ１２によって形成される第２投射像ＩＭ２となって、虚像表示領域ＡＩ上で重畳していることになる。導光部材２１の加工が精密で、投射光学系１２によって正確にコリメートされた光束が形成されているならば、重複画像ＩＳについて、２つの投射像ＩＭ１，ＩＭ２の重畳によるズレや滲みを防止することができる。
【００５７】
以上では、液晶表示デバイス３２の右側の第１表示点Ｐ１を含む第１部分領域Ａ１０から射出された画像光ＧＬ１１，ＧＬ１２の第１及び第２反射面２１ａ，２１ｂによる全反射回数が計３回で、液晶表示デバイス３２の左側の第２表示点Ｐ２を含む第１部分領域Ａ１０から射出された画像光ＧＬ２１，ＧＬ２２の第１及び第２反射面２１ａ，２１ｂによる全反射回数が計５回であるとしたが、全反射回数については適宜変更することができる。つまり、導光部材２１の外形（すなわち厚みｔ、距離Ｄ、鋭角α，β）の調整によって、画像光ＧＬ１１，ＧＬ１２の全反射回数を計５回とし、画像光ＧＬ２１，ＧＬ２２の全反射回数を計７回とすることもできる。また、以上では、画像光ＧＬ１１，ＧＬ１２，ＧＬ２１，ＧＬ２２の全反射回数が奇数となっているが、光入射面ＩＳと光射出面ＯＳとを反対側に配置するならば、すなわち導光部材２１を平面視で平行四辺形型にすれば、画像光ＧＬ１１，ＧＬ１２，ＧＬ２１，ＧＬ２２の全反射回数が偶数となる。
【００５８】
〔Ｅ．ゴースト光の処理〕
図７（Ａ）は、導光装置２０におけるゴースト光の処理を説明する図であり、図７（Ｂ）は、光透過部材２３と導光部材２１との境界を拡大した部分拡大図である。導光部材２１の光射出部Ｂ３において、第１及び第２反射面２１ａ，２１ｂを経て入射してきた画像光ＧＬは、第４反射面２１ｄに入射角ζで入射しここで反射されて光射出面ＯＳを通過する。この際、第４反射面２１ｄがハーフミラーとなっていることから、画像光ＧＬは、第４反射面２１ｄを例えば８０％程度の強度で通過してゴースト光ＧＧとなる可能性がある。すなわち、第４反射面２１ｄを通過した画像光ＧＬは、第２面２３ｂで反射されるが、反射された画像光ＧＬは、第４反射面２１ｄに入射角ηで入射しここを通過した場合、第１反射面２１ａや第４反射面２１ｄを経て比較的目立つゴースト光ＧＧとなる可能性がある。本実施形態では、このようなゴースト光ＧＧを、第４反射面２１ｄに隣接し色素を含有する接着層ＣＣによって遮断している。
【００５９】
なお、第４反射面２１ｄを通過する画像光ＧＬに由来するゴースト光ＧＧは、接着精度等に由来して第２面２３ｂを第２反射面２１ｂに対して厳密に平行に形成することが容易でないこと等が原因となって発生する。より詳しく説明すると、導光部材２１の第２反射面２１ａと、光透過部材２３の第２面２３ｂとは、実質的に同一平面上に配置されているが、厳密には同一平面上に配置されていない。つまり、第２反射面２１ａと第２面２３ｂとを厳密に同一平面上に配置しようとした場合、極めてコストを増加させることになってしまう。一方、第２反射面２１ａと第２面２３ｂとが実質的に同一平面上に配置されていれば、透視部Ｂ４を介しての外界観察に支障が生じない。このため、導光部材２１の第２反射面２１ａと光透過部材２３の第２面２３ｂとの平行度については厳密性を緩和して、製造の容易性やコスト低減を図ることが望ましい。しかしながら、本願発明者の検討によれば、光透過部材２３の第２面２３ｂが導光部材２１の第２反射面２１ａに対して微小角（例えば数分程度）傾いただけでも、眼ＥＹにはゴースト光ＧＧとして観察される可能性があることが分かった。つまり、第２反射面２１ａと第２面２３ｂとが厳密に平行であれば問題ないが、第２反射面２１ａと第２面２３ｂとが微小角を成していると、第４反射面２１ｄを通過して第２面２３ｂで反射され、第４反射面２１ｄを再度通過した不要光ＨＬは、画像光ＧＬと同様の角度条件で光射出部Ｂ３を通過して眼ＥＹに入射するおそれがある。この不要光ＨＬは、第２反射面２１ａと第２面２３ｂとが成す微小角に起因して画像光ＧＬに対して厳密に平行ではなく、画像光ＧＬに対して僅かな角度ズレを有するものとなっている。このため、不要光ＨＬは、ゴースト光ＧＧすなわち画像光ＧＬに対する滲みや２重像として観察される可能性がある。以上では、第２面２３ｂが第２反射面２１ａに対して微小角を成す場合について説明したが、光透過部材２３自体の加工精度も同様に影響する。すなわち、光透過部材２３は、透視を良好するものであればよく、本来は導光部材２１ほどに加工精度が要求されない。しかしながら、第２面２３ｂの平坦度が低いと、上記と同様の理由で、平坦度の低い第２面２３ｂで反射され第４反射面２１ｄを再度通過した不要光ＨＬがゴースト光ＧＧして観察されるおそれがある。
【００６０】
このようなゴースト光ＧＧ又は不要光ＨＬを遮断するためには、不要光ＨＬの第４反射面２１ｄ等を通過する際の透過率を低下させればよい。ここで、不要光ＨＬの第４反射面２１ｄへの入射角ηは、上記のような導光部材２１の外形の設計条件で６０°以上となる。よって、光透過部材２３と導光部材２１との境界に充填される接着層ＣＣの厚み及び色素の含有量（密度）を適宜適宜調整することにより、不要光ＨＬの接着層ＣＣでの透過率を大幅に低減して眼ＥＹへの入射を阻止することができる。つまり、不要光ＨＬは、大きな入射角ηで接着層ＣＣに入射して比較的長い距離Ｔ２を通過することで、十分に減衰され目立たないものになる。しかも、不要光ＨＬは、導光部材２１から光透過部材２３に入射する際に既に接着層ＣＣを通過しているので、接着層ＣＣを往復していることになり、かなり減衰されることになる。一方、外界光ＧＬ'は、一般に入射角ηよりも小さな入射角ξで接着層ＣＣに入射して比較的短い距離Ｔ１（＜Ｔ２）を通過するため、あまり減衰されることなく眼ＥＹに入射して明るく観察される。なお、外界光ＧＬ'については、ゴースト光ＧＧと同様の角度条件となる場合、第４反射面２１ｄに付随する接着層ＣＣによって減衰され眼ＥＹに殆ど入射しなくなる可能性があるが、このように遮断される外界光は、かなり斜めの方向からのものであり、実用上は問題ならないと考えられる。
【００６１】
以上とは別に、接着層ＣＣによって導光部材２１及び光透過部材２３越しに観察される画像に色斑が観察される場合がある。すなわち、導光部材２１の第４反射面２１ｄと光透過部材２３の第３面２３ｃとは、波長に近い間隔で近接しており、接着層ＣＣの屈折率が導光部材２１等と大きく異なる場合、光透過部材２３から導光部材２１に導かれる光束（例えば図７（Ｂ）に示す外界光ＧＬ'）は、第４反射面２１ｄ及び第３面２３ｃを通過する光束と、これらで反射される光束との干渉作用により、色ムラを生じさせる可能性がある。本実施形態では、接着層ＣＣの屈折率と導光部材２１等の屈折率との差が０．００１以下となるように調整することにより、導光部材２１及び光透過部材２３の界面で生じる干渉を低減して色斑ムラの発生を防止している。
【００６２】
〔Ｆ．その他〕
図８（Ａ）は、図２（Ａ）等に示す導光部材２１の変形例を説明する図である。以上の説明では、導光部材２１を伝播する画像光が第１及び第２反射面２１ａ，２１ｂに対して２つの反射角γ１，γ２のみで全反射されるとしたが、図８（Ａ）に示す変形例の導光部材２１のように、３つの成分の画像光ＧＬ３１，ＧＬ３２，ＧＬ３３が反射角γ１，γ２，γ３（γ１＞γ２＞γ３）でそれぞれ全反射されることを許容することもできる。この場合、液晶表示デバイス３２から射出される画像光ＧＬは、３つのモードで伝搬され、観察者の眼ＥＹの位置において合成されて虚像となる。この場合、図８（Ｂ）に示すように、有効表示領域Ａ０の左側に例えば計３回全反射の投射像ＩＭ２１が形成され、有効表示領域Ａ０の中央寄りに例えば計５回全反射の投射像ＩＭ２２が形成され、有効表示領域Ａ０の右側に例えば計７回全反射の投射像ＩＭ２３が形成される。
【００６３】
図９は、図２（Ａ）等に示す導光部材２１に稜を除去するような端面２１ｈを設けている理由を説明する拡大図である。導光部材２１の稜１２１ｈに近い位置に入射した画像光ＧＬは、第３反射面２１ｃで反射された後に第１反射面２１ａで反射されるが、第１反射面２１ａでの反射後に第３反射面２１ｃで再度反射されてしまう。このような再反射光としての不要光ＨＬは、第３反射面２１ｃでの反射によって元の画像光ＧＬと平行でなくなってしまい想定外の光路に導かれるが、その一部が光射出部Ｂ３に導かれて光射出面ＯＳから射出される可能性がある。つまり、稜１２１ｈで発生する不要光ＨＬは、図７（Ａ）の場合と同様に望まれないゴースト光ＧＧとなるので、予め除去することが望ましい。このため、稜１２１ｈを除去して迷光阻止用の端面２１ｈを設け、不要光ＨＬの光路に制限を設けている。
【００６４】
図１０は、図２（Ａ）等に示す導光部材２１の変形例を説明する拡大図である。この場合、導光部材２１の第４反射面２１ｄ側に稜１２１ｉを除去するような端面２１ｉを設けている。つまり、導光部材２１は、８面の多面体状の外形を有するものとなっている。端面２１ｉには、例えば比較的高い反射率のコート又は粗面が施され、光透過部材２３にも端面２１ｉにフィットする段差を設けている。このような端面２１ｉを設けることで、導光部材２１を伝播する正規の画像光ＧＬが第４反射面２１ｄで２度以上反射される不要光ＨＬや、３回未満の反射で導光部Ｂ２を通過して第４反射面２１ｄで反射される不要光ＨＬが光射出面ＯＳを介して外部に射出されることを防止できる。つまり、端面２１ｉは、想定外の経路を経ることで元の画像光ＧＬに対して傾いた不要光ＨＬが図７（Ａ）の場合と同様に望まれないゴースト光ＧＧとなるのを防止している。
【００６５】
以上説明した実施形態の虚像表示装置１００では、光入射部Ｂ１の第３反射面２１ｃで反射された画像光ＧＬが導光部の第１及び第２反射面２１ａ，２１ｂで全反射されつつ伝搬され、光射出部Ｂ３の第４反射面２１ｄで反射されて虚像として観察者の眼ＥＹに入射する。この際、画像表示装置１１の第１表示点Ｐ１を含む第１部分領域Ａ１０から射出される第１画像光ＧＬ１１，ＧＬ１２の導光部における反射回数と、画像表示装置１１の第２表示点Ｐ２を含む第２部分領域Ａ２０から射出される第２画像光ＧＬ２１，ＧＬ２２の導光部Ｂ２における反射回数とが異なるので、光射出部Ｂ３から射出される画像光ＧＬの射出角度の角度幅を広くとることができる。つまり、画像表示装置１１における異なる部分領域Ａ１０，Ａ２０からの画像光ＧＬを比較的広い視野角で取り込むことができるようになり、光射出部Ｂ３越しに観察される虚像の表示サイズを大きく確保することができる。このように、反射回数が異なる画像光ＧＬを取り出す構造とすることにより、導光部Ｂ２をあまり厚くすることなく瞳を覆うように光射出部Ｂ３を大きくすることができるので、光射出部Ｂ３を瞳に近づけて瞳分割を行う必要がなくなり、アイリング径を大きく確保することができ、良好なシースルー観察も可能になる。
【００６６】
また、上記実施形態の虚像表示装置１００では、ハーフミラー層（反射膜）２８を介して光射出部Ｂ４と光透過部材２３とを接合する接着層ＣＣが色素を含有している。導光部材から光透過部材２３に射出され当該光透過部材２３内で反射される意図しない光すなわち不要光ＨＬが比較的大きな入射角度でハーフミラー層２８に入射した場合、かかる不要光ＨＬは、導光部材２１の光射出部Ｂ４に戻されても、ハーフミラー層２８を通過する際に色素によって十分減衰される。これにより、光透過部材２３を経た画像光ＧＬがゴースト光ＧＧになることを防止でき、虚像表示装置１００によって表示される虚像を高品位のものとすることができる。
【００６７】
以上実施形態に即して本発明を説明したが、本発明は、上記の実施形態に限られるものではなく、その要旨を逸脱しない範囲において種々の態様において実施することが可能であり、例えば次のような変形も可能である。
【００６８】
上記実施形態では、接着層ＣＣに含有させる色素が無彩色であるとしたが、接着層ＣＣに含有させる色素を有彩色とすることもできる。この場合、導光部材２１の第４反射面２１ｄ越しにシースルーで観察される外界光ＧＬ'を着色させることができる。
【００６９】
また、上記実施形態では、接着層ＣＣ中に含有させる色素が一様であるとしたが、接着層ＣＣ中に含有させる色素に無彩又は有彩のパターンを形成することができる。例えば外界光ＧＬ'が外界側からハーフミラー層２８を通過する際に干渉等によって着色パターンが生じる場合、このような着色パターンを相殺するような有彩色を接着層ＣＣに形成することができ、外界光ＧＬ'の観察が妨げられることを防止できる。また、不要光ＨＬが導光部材２１から光透過部材２３に入射する際にハーフミラー層２８で青色等の波長分布を有する着色パターンが生じる場合も、このような着色パターンを有する不要光ＨＬの着色パターンを減殺するような減光特性を接着層ＣＣに持たせることもできる。
【００７０】
上記実施形態では、導光部材２１の第４反射面２１ｄに設けたハーフミラー層２８の反射率を２０％としてシースルーを優先しているが、ハーフミラー層２８の反射率を５０％以上として画像光を優先することもできる。なお、ハーフミラー層２８は、第４反射面２１ｄの全面に形成されなくてもよく、一部の必要領域にのみ形成されるものとできる。
【００７１】
光透過部材２３の形状は、導光部材２１を横すなわちＸ方向に延長するものに限らず、導光部材２１を上下から挟むように拡張した部分を含むものとできる。
【００７２】
上記実施形態では、照明装置３１からの照明光ＳＬに特に指向性を持たせていないが、照明光ＳＬに液晶表示デバイス３２の位置に応じた指向性を持たせることができる。これにより、液晶表示デバイス３２を効率的に照明することができ、画像光ＧＬの位置による輝度ムラを低減できる。
【００７３】
上記実施形態では、液晶表示デバイス３２の表示輝度を特に調整していないが、図６（Ｂ）に示すような投射像ＩＭ１，ＩＭ２の範囲や重複に応じて表示輝度の調整を行うことができる。
【００７４】
上記実施形態では、画像表示装置１１として、透過型の液晶表示デバイス３２等を用いているが、画像表示装置１１としては、透過型の液晶表示デバイス３２に限らず種々のものを利用可能である。例えば、反射型の液晶表示デバイスを用いた構成も可能であり、液晶表示デバイス３２に代えてデジタル・マイクロミラー・デバイス等を用いることもできる。また、画像表示装置１１として、ＬＥＤアレイやＯＬＥＤ（有機ＥＬ）などに代表される自発光型素子を用いることもできる。
【００７５】
上記実施形態の虚像表示装置１００では、右眼及び左眼の双方に対応して、一組ずつ画像形成装置１０及び導光装置２０設ける構成としているが、右眼又は左眼のいずれか一方に対してのみ画像形成装置１０と導光装置２０とを設け画像を片眼視する構成にしてもよい。
【００７６】
上記実施形態では、光入射面ＩＳを通る第１光軸ＡＸ１と光入射面ＩＳを通る第２光軸ＡＸ２とが平行であるとしたが、これらの光軸ＡＸ１，ＡＸ２を非平行とすることもできる。
【００７７】
上記の説明では、虚像表示装置１００がヘッドマウントディスプレイであるとして具体的な説明を行ったが、虚像表示装置１００は、ヘッドアップディスプレイに改変することもできる。
【００７８】
上記の説明では、第１及び第２反射面２１ａ，２１ｂにおいて、表面上にミラーやハーフミラー等を施すことなく空気との界面により画像光を全反射させて導くものとしているが、本願発明における全反射については、第１及び第２反射面２１ａ，２１ｂ上の全体又は一部にミラーコートや、ハーフミラー膜が形成されてなされる反射も含むものとする。例えば、画像光の入射角度が全反射条件を満たした上で、第１及び第２反射面２１ａ，２１ｂの全体又は一部にミラーコート等が施され、実質的に全ての画像光を反射する場合も含まれる。また、十分な明るさの画像光を得られるのであれば、多少透過性のあるミラーによって第１及び第２反射面２１ａ，２１ｂの全体又は一部がコートされていてもよい。
【００７９】
上記の説明では、導光部材２１が眼ＥＹの並ぶ横方向に延びているが、導光部材２１は、縦方向に延びるものとできる。この場合、光学パネル１１０は、直列的ではなく並列的に平行配置されることになる。
【符号の説明】
【００８０】
１０…画像形成装置、  １１…画像表示装置、  １２…投射光学系、  ２０…導光装置、  ２１…導光部材、  ２１ａ，２１ｂ，２１ｃ，２１ｄ…第１〜第４反射面、  ２１ｈ，２１ｉ…端面、  ２３…光透過部材、  ２３ａ，２３ｂ，２３ｃ…面、  ２５…ミラー層、  ２７…ハードコート層、  ２８…ハーフミラー層（反射膜）、  ３１…照明装置、  ３２…液晶表示デバイス、  ３２ｂ…表示領域、  ３４…駆動制御部、  １００…虚像表示装置、  １００Ａ，１００Ｂ…表示装置、  １１０…光学パネル、  １２１…フレーム、  １３１，１３２…駆動部、  Ａ１０…第１部分領域、  Ａ２０…第２部分領域、  ＡＸ１…第１光軸、  ＡＸ２…第２光軸、  Ｂ１…光入射部、  Ｂ２…導光部、  Ｂ３…光射出部、  Ｂ４…透視部、ＣＣ…接着層、  ＥＹ…眼、  ＦＳ…平坦面、  ＧＬ…画像光、  ＧＬ'…外界光、  ＧＬ１１，ＧＬ１２，ＧＬ２１，ＧＬ２２…画像光、  ＩＭ１，ＩＭ２…投射像、  ＩＳ…光入射面、  Ｌ１，Ｌ２，Ｌ３…レンズ、  ＯＳ…光射出面、  Ｐ１…第１表示点、  Ｐ２…第２表示点、ＳＬ…照明光
【図１】
2012168425.tif 000003
【図２】
2012168425.tif 000004
【図３】
2012168425.tif 000005
【図４】
2012168425.tif 000006
【図５】
2012168425.tif 000007
【図６】
2012168425.tif 000008
【図７】
2012168425.tif 000009
【図８】
2012168425.tif 000010
【図９】
2012168425.tif 000011
【図１０】
2012168425.tif 000012